【手続補正書】
【提出日】平成22年8月16日(2010.8.16)
【手続補正１】
【補正対象書類名】特許請求の範囲
【補正対象項目名】全文
【補正方法】変更
【補正の内容】
【特許請求の範囲】
【請求項１】
操作者からの操作を受け付ける操作手段を備え、画像データを送信するデータ通信装置であって、
少なくとも１つの宛先を登録する宛先登録手段と、
前記画像データを取得する取得手段と、
前記登録された宛先を操作者に確認させるべく、当該登録された宛先を示す宛先リストを出力する宛先リスト出力手段と、
前記宛先リストが示す宛先が前記操作者により確認されたことを示す第１操作を前記操作手段が受け付けた場合に、前記宛先リストが示す宛先に前記取得された画像データを送信する送信手段とを備え、
前記宛先リスト出力手段は、前記登録された宛先の数が所定の数よりも多い場合は前記宛先リストを印刷し、前記登録された宛先の数が前記所定の数よりも少ない場合は前記宛先リストを表示部に表示することを特徴とするデータ通信装置。
【請求項２】
前記第１操作の代わりに、前記宛先リストの宛先を修正することを示す第２操作を前記操作手段が受け付けた場合に、前記宛先リストの宛先を編集する宛先編集手段をさらに備え、
前記宛先リスト出力手段は、前記宛先リストが示す宛先が編集されると、編集された宛先を示す宛先リストを出力することを特徴とする請求項１に記載のデータ通信装置。
【請求項３】
前記宛先リストが出力されてから前記第１操作又は前記第２操作を受け付けるまでの間に、当該出力された宛先リストが示す宛先に対して前記取得された画像データを送信するための送信ジョブ以外の送信ジョブを実行する実行手段をさらに備えることを特徴とする請求項２に記載のデータ通信装置。
【請求項４】
前記取得手段は、前記操作手段が前記第１操作を受け付けた後に、前記画像データを取得することを特徴とする請求項１乃至３の何れか１項に記載のデータ通信装置。
【請求項５】
前記宛先リストの印刷が可能であるか否かを判断する判断手段をさらに備え、
前記宛先登録手段は、前記登録された宛先の数が所定の数よりも多い場合において、前記宛先リストの印刷が可能であると判断された場合に前記送信手段による画像データの送信を許可し、当該宛先リストの印刷が可能でないと判断された場合に前記送信手段による画像データの送信を禁止することを特徴とする請求項１乃至４の何れか１項に記載のデータ通信装置。
【請求項６】
前記宛先リスト出力手段は、前記宛先リストを印刷するための印刷ジョブを、他の印刷ジョブより優先して実行することを特徴とする請求項１乃至５の何れか１項に記載のデータ通信装置。
【請求項７】
前記宛先リスト出力手段は、
前記登録された宛先とともに、前記取得された画像データを出力することを特徴とする請求項１乃至３の何れか１項に記載のデータ通信装置。
【請求項８】
前記宛先リスト出力手段は、
前記登録された宛先とともに、前記取得された画像データを識別するための情報を出力することを特徴とする請求項１乃至３の何れか１項に記載のデータ通信装置。
【請求項９】
前記画像データを識別するための情報は、受付番号、文字列及び２次元バーコードの少なくとも何れか１つであることを特徴とする請求項８に記載のデータ通信装置。
【請求項１０】
操作者からの操作を受け付ける操作手段を備え、画像データを送信するデータ通信装置の制御方法であって、
宛先登録手段が、少なくとも１つの宛先を登録するステップと、
取得手段が、前記画像データを取得するステップと、
宛先リスト出力手段が、前記登録された宛先を操作者に確認させるべく、当該登録された宛先を示す宛先リストを出力するステップと、
送信手段が、前記宛先リストが示す宛先が前記操作者により確認されたことを示す第１操作を前記操作手段が受け付けた場合に、前記宛先リストが示す宛先に前記取得された画像データを送信するステップとを実行し、
前記宛先リストを出力するステップでは、前記登録された宛先の数が所定の数よりも多い場合は前記宛先リストを印刷し、前記登録された宛先の数が前記所定の数よりも少ない場合は前記宛先リストを表示部に表示することを特徴とするデータ通信装置の制御方法。
【請求項１１】
請求項１０に記載のデータ通信装置の制御方法をコンピュータに実行させるためのプログラム。
【手続補正２】
【補正対象書類名】明細書
【補正対象項目名】発明の名称
【補正方法】変更
【補正の内容】
【発明の名称】データ通信装置、その制御方法、及びプログラム
【手続補正３】
【補正対象書類名】明細書
【補正対象項目名】０００１
【補正方法】変更
【補正の内容】
【０００１】
本発明は、データを送信するデータ通信装置、その制御方法、及びプログラムに関するものである。
【手続補正４】
【補正対象書類名】明細書
【補正対象項目名】０００４
【補正方法】変更
【補正の内容】
【０００４】
本発明は、上述の問題に鑑みて成されたものであり、データの送信先として登録した宛先を操作者に容易に確認させるとともに、誤送信を低減させるデータ通信装置、その制御方法、及びプログラムを提供することを目的とする。
【手続補正５】
【補正対象書類名】明細書
【補正対象項目名】０００５
【補正方法】変更
【補正の内容】
【０００５】
本発明は、例えば、操作者からの操作を受け付ける操作手段を備え、画像データを送信するデータ通信装置として実現できる。データ通信装置は、少なくとも１つの宛先を登録する宛先登録手段と、画像データを取得する取得手段と、登録された宛先を操作者に確認させるべく、当該登録された宛先を示す宛先リストを出力する宛先リスト出力手段と、宛先リストが示す宛先が操作者により確認されたことを示す第１操作を操作手段が受け付けた場合に、宛先リストが示す宛先に取得された画像データを送信する送信手段とを備え、宛先リスト出力手段は、登録された宛先の数が所定の数よりも多い場合は宛先リストを印刷し、登録された宛先の数が所定の数よりも少ない場合は宛先リストを表示部に表示することを特徴とする。
【手続補正６】
【補正対象書類名】明細書
【補正対象項目名】０００６
【補正方法】変更
【補正の内容】
【０００６】
また、本発明は、例えば、操作者からの操作を受け付ける操作手段を備え、画像データを送信するデータ通信装置の制御方法として実現できる。制御方法は、宛先登録手段が、少なくとも１つの宛先を登録するステップと、取得手段が、画像データを取得するステップと、宛先リスト出力手段が、登録された宛先を操作者に確認させるべく、当該登録された宛先を示す宛先リストを出力するステップと、送信手段が、宛先リストが示す宛先が操作者により確認されたことを示す第１操作を操作手段が受け付けた場合に、宛先リストが示す宛先に取得された画像データを送信するステップとを実行し、宛先リストを出力するステップでは、登録された宛先の数が所定の数よりも多い場合は宛先リストを印刷し、登録された宛先の数が所定の数よりも少ない場合は宛先リストを表示部に表示することを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
本発明は、例えば、データの送信先として登録した宛先を操作者に容易に確認させるとともに、誤送信を低減させるデータ通信装置、その制御方法、及びプログラムを提供できる。